(57)【特許請求の範囲】
【請求項１】
水性環境において自己集合してミセルを形成するキトサンベースハイブリッド巨大分子であって、
カルボキシメチル基で修飾されて親水性末端を有するとともに、ヘキサノイル基で修飾されて疎水性末端を有する両親媒性キトサンにおける当該親水性末端の側のカルボキシメチル基が、少なくとも１つの末端にアミノ基を含むケイ素ベース無機カップリング剤と反応してなり、
前記両親媒性キトサンの前記カルボキシメチル基と、前記ケイ素ベース無機カップリング剤のアミノ基とのモル比が、１：０．０１〜１：２０である
ことを特徴とするキトサンベースハイブリッド巨大分子。
【請求項２】
前記ケイ素ベース無機カップリング剤が、３−アミノプロピルトリメトキシシラン（ＡＰＴＭＳ）および３−アミノプロピルトリエトキシシラン（ＡＰＴＥＳ）からなる群から選択されることを特徴とする請求項１に記載のキトサンベースハイブリッド巨大分子。
【請求項３】
前記ケイ素ベース無機カップリング剤のケイ素ベース部分が、二酸化ケイ素であることを特徴とする請求項１または２に記載のキトサンベースハイブリッド巨大分子。
【請求項４】
キトサンベースハイブリッド巨大分子の製造方法であって、
カルボキシメチル基で修飾されて親水性末端を有するとともに、ヘキサノイル基で修飾されて疎水性末端を有する有機両親媒性キトサンを水に加え、前記有機両親媒性キトサンを当該水に溶解させて有機両親媒性キトサン溶液を形成する有機両親媒性キトサン溶液調製ステップと、
窒素ガスを適用しながら前記有機両親媒性キトサン溶液にケイ素ベース無機カップリング剤を加え、緩やかに混合して、前記有機両親媒性キトサンの前記カルボキシメチル基と前記ケイ素ベース無機カップリング剤のアミノ基とのモル比が１：０．０１〜１：２０となるべく、有機無機複合体溶液を形成する有機無機複合体溶液調製ステップと、
透析膜により有機無機複合体溶液を透析して粗生成物を形成する透析ステップと、
前記粗生成物の水を除去してキトサンベースハイブリッド巨大分子を形成する乾燥ステップと、
を含むことを特徴とするキトサンベースハイブリッド巨大分子の製造方法。
【請求項５】
前記有機両親媒性キトサン溶液が、０．１〜５％の濃度であることを特徴とする請求項４に記載のキトサンベースハイブリッド巨大分子の製造方法。
【請求項６】
前記有機無機複合体溶液調製ステップが、
前記有機両親媒性キトサン溶液中に触媒を加えるステップを含むことを特徴とする請求項４に記載のキトサンベースハイブリッド巨大分子の製造方法。
【請求項７】
前記触媒が、１−エチル−３−（３−ジメチルアミノプロピル）カルボジイミド（ＥＤＣ）であることを特徴とする請求項６に記載のキトサンベースハイブリッド巨大分子の製造方法。
【請求項８】
前記ケイ素ベース無機カップリング剤が、３−アミノプロピルトリメトキシシラン（ＡＰＴＭＳ）および３−アミノプロピルトリエトキシシラン（ＡＰＴＥＳ）からなる群から選択されることを特徴とする請求項４に記載のキトサンベースハイブリッド巨大分子の製造方法。
【請求項９】
前記透析ステップが、２０％エタノール溶液を使用し、少なくとも１日にわたって透析することを特徴とする請求項４に記載のキトサンベースハイブリッド巨大分子の製造方法。
【請求項１０】
薬物含有ミセルのためのキトサンベースハイブリッド巨大分子の使用方法であって、
溶液に薬物を溶解し、十分に混合して薬物ストック溶液を形成し、次いで、前記薬物ストック溶液を希釈して薬物溶液を形成する薬物溶液調製ステップと、
カルボキシメチル基で修飾されて親水性末端を有するとともに、ヘキサノイル基で修飾されて疎水性末端を有する両親媒性キトサンにおける当該親水性末端の側のカルボキシメチル基が、少なくとも１つの末端にアミノ基を含むケイ素ベース無機カップリング剤と反応してなり、前記両親媒性キトサンの前記カルボキシメチル基と、前記ケイ素ベース無機カップリング剤のアミノ基とのモル比が、１：０．０１〜１：２０である、水性環境において自己集合してミセルを形成するキトサンベースハイブリッド巨大分子を前記薬物溶液に加えて前記キトサンベースハイブリッド巨大分子の内側に薬物を封入して薬物含有ミセル溶液を形成し、次いで、前記薬物含有ミセル溶液からペレットを遠心分離および乾燥して薬物含有ミセルを得る薬物含有ミセル調製ステップと、
を含むことを特徴とするキトサンベースハイブリッド巨大分子の使用方法。
【請求項１１】
前記ケイ素ベース無機カップリング剤が、３−アミノプロピルトリメトキシシラン（ＡＰＴＭＳ）および３−アミノプロピルトリエトキシシラン（ＡＰＴＥＳ）からなる群から選択されることを特徴とする請求項１０に記載のキトサンベースハイブリッド巨大分子の使用方法。
【請求項１２】
自己集合した前記ミセルが、５０〜５００ナノメートルの直径を有することを特徴とする請求項１１に記載のキトサンベースハイブリッド巨大分子の使用方法。
【請求項１３】
前記薬物が、抗癌薬、抗炎症薬、抗高血圧症薬、糖尿病薬、タンパク質薬、ペプチドベース薬またはヌクレオチドであることを特徴とする請求項１２に記載のキトサンベースハイブリッド巨大分子の使用方法。
【請求項１４】
前記薬物含有ミセルを調製することが、
少なくとも１日にわたって室温にて薬物溶液を撹拌することを含むことを特徴とする請求項１０に記載のキトサンベースハイブリッド巨大分子の使用方法。
【発明の詳細な説明】
【技術分野】
【０００１】
本発明は、新型キトサンベースハイブリッド巨大分子および巨大分子を製造または使用するための方法に関し、特に、水性環境において自己集合し、優れた生体適合性、薬物負荷能力および細胞内取込み効率という利点を有する新型キトサンベースハイブリッド巨大分子に関する。
【背景技術】
【０００２】
従来の薬物担体系は、主に、２つの異なる機構を有する。１つは、薬物担体の表面に薬物を結合または吸着させることであり、もう１つは、薬物担体の内側に薬物を詰めることである。前者の方法は、薬物負荷能力がより低く、薬物を急速に放出する。後者の方法は、液体吸着および膨潤により薬物を容易に漏出させ、担体からの薬物放出を制御することが困難とすることのある選択される薬物担体の材料により影響を受ける。
【発明の概要】
【発明が解決しようとする課題】
【０００３】
いくつかのよく使用されている薬物担体には、リポソーム、トランジスタパッケージ、ゼラチンパッケージおよび高分子ミセルなどがある。
【０００４】
リポソーム技法は、リポソームの内側に薬物を詰め、薬物をゆっくりと放出させ、薬物が腸管の酵素と反応するのを防ぐ。
しかし、薬物の実際の放出時間および放出量を推定することは困難である。
トランジスタパッケージ技法は、内側に薬物を有するトランジスタを腫瘍領域に包埋し、薬物を直接集中させて腫瘍細胞に作用させ、薬物により破壊される正常細胞を減らす。  しかし、トランジスタを埋め込むために侵襲的手術プロセスが使用され、患者は、回復するのにある期間を要する。高分子ミセルは、人体へ薬物をゆっくりと放出し、特定の領域に薬物を集中させることができない。
【課題を解決するための手段】
【０００５】
本発明のある実施形態の１態様は、化学結合により固定されている両親媒性キトサンとケイ素ベース無機カップリング剤のコンジュゲートである新型キトサンベースハイブリッド巨大分子を提供することである。ハイブリッド巨大分子は、水性環境において自己集合して薬物を担持し、優れた生体適合性、より高い薬物負荷能力および良好な細胞内取込み効率という特徴を有する。
【０００６】
ハイブリッド巨大分子は、両親媒性キトサンおよびケイ素ベース無機カップリング剤を含む。両親媒性キトサンは、カルボキシメチル基を含み、修飾されて親水性末端および疎水性末端を有しており、水または酸性溶液に可溶である。親水性末端は、カルボキシメチル含有分子、ポリエチレングリコール（ＰＥＧ）、四級アンモニウム化合物およびスクシニル基からなる群から選択される化合物により修飾されている。疎水性末端は、ヘキサノイル、ポリカプロラクトン（ＰＣＬ）、セチル基、パルミトイル基、コレステリル基、フタルイミド基およびブチルグリシドールエーテルからなる群から選択される化合物により修飾されている。ケイ素ベース無機カップリング剤は、３−アミノプロピルトリメトキシシラン（ＡＰＴＭＳ）および３−アミノプロピルトリエトキシシラン（ＡＰＴＥＳ）からなる群から選択され、１つの末端に少なくともアミノ基を有する。ある実施形態において、両親媒性キトサンのカルボキシメチル基とケイ素ベース無機カップリング剤のアミノ基は、１：０．０１〜１：２０の比を有する。別の実施形態において、両親媒性キトサンは、カルボキシメチル基および長鎖ヘキサノイル基により修飾されている。
【０００７】
本発明によるハイブリッド巨大分子は、水性環境において自己集合して直径５０〜５００ナノメートルのミセルを形成し、ケイ素ベース無機カップリング剤は、ミセルのシェルを形成し、連続的かつ高度に多層化した（ｌａｙｅｒ−ｂｙ−ｌａｙｅｒｅｄ）配置であり、厚さが４〜６ナノメートルの結晶化した原子層を有する。ハイブリッド巨大分子は、ハイブリッド巨大分子自己組織化および配置の原子を誘導するための内部疎水性力を有する。加えて、ミセルの結晶化した層は、水性環境におけるハイブリッド巨大分子の膨潤によってもたらされる担持薬物の漏出を低減するための物理的障壁である。
【０００８】
本発明のある実施形態の別の態様は、有機両親媒性キトサン溶液を調製するステップと、有機無機複合体溶液を調製するステップと、透析するステップと、乾燥するステップとを含む新型キトサンベースハイブリッド巨大分子を製造するための方法を提供することである。有機両親媒性キトサン溶液の濃度は、０．１〜５％である。有機無機複合体溶液を調製するステップは、有機両親媒性キトサン溶液中に触媒を加えるステップをさらに含む。触媒は、１−エチル−３−（３−ジメチルアミノプロピル）カルボジイミド（ＥＤＣ）であってよい。
【０００９】
本発明のある実施形態のさらに別の態様は、薬物溶液を調製するステップと薬物含有ミセルを調製するステップとを含む新型キトサンベースハイブリッド巨大分子を使用するための方法を提供することである。薬物は、抗癌薬、抗炎症薬、抗高血圧症薬、糖尿病薬、タンパク質薬、ペプチドベース薬またはヌクレオチドであってよい。薬物溶液は、薬物の特性に応じて最適な溶媒を加えることにより薬物ストック溶液から望ましい濃度に希釈してもよい。ある実施形態において、薬物ミセルは、８０％を超える薬物負荷能力を有し、優れた生体適合性および細胞内取込み効率を有する。
【００１０】
本発明の上の目的および利点は、下記の詳細な説明および添付の図面を再検討した後に当業者にはより容易に明らかになるであろう。
【図面の簡単な説明】
【００１１】
【図１】本発明による新型キトサンベースハイブリッド巨大分子の構造式の図である。
【図２】キトサンベースハイブリッド巨大分子が自己集合してナノ担体を形成するステップを図示するフローチャートの図である。
【図３】本発明によるキトサンベースハイブリッド巨大分子および両親媒性キトサンの赤外スペクトルの図である。
【図４】本発明によるキトサンベースハイブリッド巨大分子および両親媒性キトサンの13Ｃ核磁気共鳴スペクトルの図である。
【図５】本発明によるキトサンベースハイブリッド巨大分子および両親媒性キトサンの29Ｓｉ核磁気共鳴スペクトルの図である。
【図６】本発明による自己集合した巨大分子の走査電子顕微鏡写真の図である。
【図７】本発明による自己集合した巨大分子の透過電子顕微鏡写真の図である。
【図８】図７の部分的に拡大した図面の図である。
【図９】本発明による薬物ミセルの薬物累積放出量を示すダイヤグラムの図である。
【図１０】異なる濃度のハイブリッドミセルと共にインキュベートされるヒト網膜色素上皮ＡＰＲＥ−１９の生存率を示すダイヤグラムの図である。
【図１１Ａ】カルボキシメチル基とアミノ基のモル比が異なるハイブリッドミセルと共にインキュベートされるヒト網膜色素上皮ＡＰＲＥ−１９の生存率を示すダイヤグラムの図である。
【図１１Ｂ】カルボキシメチル基とアミノ基のモル比が異なるハイブリッドミセルと共にインキュベートしたヒト肺癌Ａ−５４９の生存率を示すダイヤグラムの図である。
【図１１Ｃ】カルボキシメチル基とアミノ基のモル比が異なるハイブリッドミセルと共にインキュベートしたヒト乳癌ＭＣＦ−７の生存率を示すダイヤグラムの図である。
【図１２】薬物含有ミセルの細胞内取込み効率を示す写真の図である。
【発明を実施するための形態】
【００１２】
以下に図面を参照しながら本発明の好適な実施例について説明する。
【実施例１】
【００１３】
図１および２を参照すると、本発明による新型キトサンベースハイブリッド巨大分子は、化学結合により固定されている両親媒性キトサンおよびケイ素ベース無機カップリング剤を含む。両親媒性キトサンの骨格は、長い炭素鎖（Ｉ）を有し、修飾された親水性末端（ＩＩ）および修飾された長鎖疎水性末端（ＩＩＩ）を含む。ハイブリッド巨大分子は、有機−無機ハイブリッド分子であり、水性環境において自己集合してコアシェル型（ｃｏｒｅ−ｓｈｅｌｌｅｄ）ミセルを形成する。
【実施例２】
【００１４】
本発明による新型キトサンベースハイブリッド巨大分子を製造するための方法は、ケイ素ベース無機カップリング剤として３−アミノプロピルトリエトキシシラン（ＡＰＴＥＳ）を使用し、下記の
有機両親媒性キトサン溶液を調製するステップであって、脱イオン水５０ｍＬ中に有機両親媒性キトサン０．２５グラムを加え、周囲環境下で撹拌して有機両親媒性キトサン溶液を形成するステップ（両親媒性キトサンは、修飾された親水性末端および修飾された疎水性末端を有する）、
有機無機複合体溶液を調製するステップであって、キトサン溶液中に無機ＡＰＴＥＳ溶液約１６０マイクロリットル（μＬ）を加え、窒素雰囲気下で撹拌し、十分に混合して有機無機複合体溶液を形成するステップ、
透析するステップであって、有機無機複合体溶液を２４時間にわたって７５％（ｖ／ｖ）エタノール中に置き、次いで、有機無機複合体溶液を２４時間にわたって純粋なエタノール中に置いて透析生成物を得るステップ、
乾燥するステップであって、オーブン中で透析生成物を乾燥してハイブリッド巨大分子を形成するステップを含む。
【００１５】
有機無機複合体溶液を調製するステップにおいて、両親媒性キトサンおよびＡＰＴＥＳは、１（モル／モル）の両親媒性キトサンのカルボキシメチル基とＡＰＴＥＳのアミノ基のモル比になるように調整される。さらに、触媒を加えて、両親媒性キトサンとＡＰＴＥＳの間の反応を増加させる。触媒は、１−エチル−３−（３−ジメチルアミノプロピル）カルボジイミド（ＥＤＣ）であり、反応量は、０．０１２グラムである。
【００１６】
図３から５を参照すると、ハイブリッド巨大分子および従来の両親媒性キトサンのフーリエ変換赤外分光法（ＦＴＩＲ）ダイヤグラムは、従来の両親媒性キトサンのカルボキシメチル基のＯ−Ｈ結合が、１７２０ｃｍ-1に伸縮共鳴ピークを有し、ケイ素ベース無機カップリング剤により修飾した後に消失することを示している。このことは、両親媒性キトサンのカルボキシメチル基が、ケイ素ベース無機カップリング剤と反応していることを示している。２３００〜２３６０ｃｍ-1、９００〜９５０ｃｍ-1および１１００ｃｍ-1のピークは、Ｃ＝Ｎ、Ｓｉ−ＯＨおよびＳｉ−ＯＨ伸縮共鳴バンドにそれぞれ帰属する。
【００１７】
本発明のキトサンベースハイブリッド巨大分子のある実施形態と両親媒性キトサンの13Ｃ核磁気共鳴スペクトルを比較すると、本発明の巨大分子のダイヤグラムは、脂肪族基の（ＣＨ2）ＣＨ3炭素鎖とケイ素ベース無機カップリング剤のケイ素原子に連結しているエステル基の炭素鎖に帰属する１１、２３および４４ｐｐｍにピークを有する。１６０〜１７０ｐｐｍのピークは、カルボニル基（Ｃ＝Ｏ）を含有するアミノベース化合物によりもたらされる。したがって、ハイブリッド巨大分子は、両親媒性キトサンのカルボキシメチル基とケイ素ベース無機カップリング剤のアミノ基を固定することにより形成される。
【００１８】
29Ｓｉ核磁気共鳴スペクトルは、Ｔ１（−４８〜−５０ｐｐｍ）、Ｔ２（−５８〜−５９ｐｐｍ）およびＴ３（−６６〜−６８ｐｐｍ）ピークが、（ＳｉＯ）Ｓｉ（ＣＨ2）3（ＯＨ）2、（ＳｉＯ）2Ｓｉ（ＣＨ2）3ＯＨおよび（ＳｉＯ）3Ｓｉ（ＣＨ2）3基にそれぞれ帰属することを示している。Ｔ２およびＴ３のピーク面積は、Ｔ１より大きく、大部分の連結したシラン基が、加水分解および縮合されてＳｉ−Ｏ−Ｓｉ結合を形成し、わずかなシラン基のみが、ハイブリッド巨大分子の外側に露出していることを示している。
【００１９】
図６から８を参照すると、走査電子顕微鏡写真は、ハイブリッド巨大分子が、水性環境において自己集合して直径が５０〜１００ナノメートルのミセルを形成することを示している。透過電子顕微鏡写真は、結晶化した二酸化ケイ素の層を示している。したがって、内部の疎水性力は、ハイブリッド巨大分子の原子を引き抜いて自己集合および組織化し、多層化した二酸化ケイ素シェルを形成する。二酸化ケイ素シェルは、連続的かつ高度に配置して４〜６ナノメートルの結晶様原子層を形成し、ハイブリッド巨大分子に封入されている薬物がハイブリッド巨大分子の水の吸着および膨潤によって漏出するのを防ぐ疎水性障壁である。本発明のハイブリッド巨大分子は、いかなる架橋剤も加えることなく周囲環境下で薬物担体を合成することが可能であることを示している。
【実施例３】
【００２０】
この実施例では、（Ｓ）−（＋）−カンプトテシン（ＣＰＴ）の薬物が使用され、本発明のハイブリッド巨大分子を使用するための方法であって、下記の
薬物溶液を調製するステップであって、ＤＭＳＯ溶液５ｍＬ中にＣＰＴ２０ｍｇを加え、十分に混合して薬物ストック溶液を形成し、次いで、５０μｇ／ｍＬの最終濃度まで脱イオン水を加えることにより薬物ストック溶液を希釈し、３０分にわたって室温にて撹拌して薬物溶液を形成するステップと、
薬物含有ミセルを調製するステップであって、本発明のハイブリッド巨大分子を薬物溶液に加え、２４時間にわたって室温にて撹拌し、ハイブリッド巨大分子の内側に薬物を封入して薬物含有ミセル溶液を形成し、次いで、２０℃にて８０００ｒｐｍで薬物含有ミセル溶液を遠心分離し、薬物含有ミセル溶液からペレットを集めて乾燥して薬物含有ミセルを得るステップとを含む方法を例示する。
【００２１】
薬物含有ミセルを調製するステップにおいて、薬物の添加量は、薬物の特性およびタイプに依存する。この実施例では、ＣＰＴの量は、薬物溶液１ｍｌ当たり１．５ｍｇである。
【００２２】
この実施形態の薬物含有ミセルの薬物放出効率は、ある期間にわたって室温にてリン酸緩衝食塩水（ＰＢＳ）に薬物含有ミセルを加え、上述の溶液を遠心分離し、光吸収を検出してＣＰＴの放出効率を評価することにより検出される。
【００２３】
図９を参照すると、ＣＰＴの累積放出量は、ＣＰＴの封入濃度が増加するにつれて減少する。ＣＰＴの粘度に関係している可能性がある。封入されるＣＰＴが増加すると、薬物溶液の粘度も増加し、本発明のハイブリッド巨大分子の自己集合に影響を及ぼし、ＣＰＴの封入量を減少させる。従来の両親媒性キトサンと比較すると、本発明のハイブリッド巨大分子の薬物放出は、ミセルからの薬物拡散を抑え、薬物放出速度を効率的に制御するハイブリッド巨大分子の二酸化ケイ素シェルのためにより遅い。
【実施例４】
【００２４】
実施例３のＣＰＴミセルの生体適合性を使用し、本発明によるＣＰＴミセルの毒性を立証する。
【００２５】
この実施例では、ヒト網膜色素上皮ＡＰＲＥ−１９（Ｂｉｏｒｅｓｏｕｒｃｅ  Ｃｏｌｌｅｃｔｉｏｎ  ａｎｄ  Ｒｅｓｅａｒｃｈ  Ｃｅｎｔｅｒ、Ｈｓｉｎｃｈｕ  Ｃｉｔｙ、Ｔａｉｗａｎ、ＢＣＲＣ  Ｎｏ．６０３８３から購入した）、ヒト肺癌Ａ−５４９およびヒト乳癌ＭＣＦ−７を使用し、ＣＰＴミセルの毒性を検出する。ヒト網膜色素上皮ＡＰＲＥ−１９は、１．２ｇ／Ｌ重炭酸ナトリウム、２．５ｍＭ  Ｌ−グルタミン、１５ｍＭ  ＨＥＰＥＳ、０．５ｍＭピルビン酸ナトリウムおよび１０％ウシ胎仔血清を含有するＤＥＭＥ培地（ダルベッコ変法イーグル培地）とＨａｎｓ  Ｆ１２培地の等体積混合物中でインキュベートする。ヒト肺癌Ａ−５４９は、１０％ウシ胎仔血清を含有するＤＥＭＥ培地中でインキュベートする。ヒト乳癌ＭＣＦ−７は、１％ペニシリンまたはストレプトマイシンを含有するＤＥＭＥ培地中でインキュベートする。
【００２６】
図１０、１１Ａ、１１Ｂおよび１１Ｃを参照すると、ヒト網膜色素上皮ＡＰＲＥ−１９と共にインキュベートした異なる量のＣＰＴ（５、１０、５０、１００および２５０μｇ／ｍＬ）を含有するＣＰＴミセルは、ヒト網膜色素上皮ＡＰＲＥ−１９の細胞成長速度に有意差を示さない。しかし、異なる量のＡＰＴＥＳ（両親媒性キトサンのカルボキシメチル基とＡＰＴＥＳのアミノ基のモル比は、それぞれ１：１（ラインＢ）、１：２（ラインＣ）、１：５（ラインＤ）および１：１０（ラインＥ）である）を加えることにより形成されるハイブリッド巨大分子２５０μｇ／ｍｌと共にインキュベートしたヒト網膜色素上皮ＡＰＲＥ−１９は、８５％を超える生存率を減少させることはない。同様に、異なる量のＡＰＴＥＳを加えることにより形成されるハイブリッド巨大分子２５０μｇ／ｍｌと共にインキュベートしたヒト肺癌Ａ−５４９またはヒト乳癌ＭＣＦ−７は、２日にわたって、９０％を超える高い細胞生存率を有する。
【００２７】
したがって、本発明のハイブリッド巨大分子は、優れた細胞生体適合性を有し、細胞に対して毒性はない。
【実施例５】
【００２８】
この実施例では、本発明のハイブリッド巨大分子により製造され、フルオレセインイソチオシアネート（ＦＩＴＣ）と結合している薬物ミセルを、ある期間にわたって癌細胞と共にインキュベートし、次いで、細胞内取込み効率を検出するために４’，６−ジアミジノ−２−フェニルインドール（ＤＡＰＩ）およびローダミン−ファロイジンで染色する。
【００２９】
図１２を参照すると、写真は、薬物ミセルの細胞内取込み効率を示している。４時間にわたってインキュベートした後、細胞の細胞質中への多くの薬物ミセルの侵入がある。大部分の薬物ミセルは、８時間で細胞により取り込まれる。本発明のハイブリッド巨大分子が細胞内に入るのが容易であるため、ハイブリッド巨大分子により封入された薬物がハイブリッド巨大分子と共に取り込まれることは明らかである。
【００３０】
したがって、本発明のハイブリッド巨大分子は、水性環境において自己集合してミセルを形成し、優れた生体適合性および細胞内取込み効率という利点を有する。本発明のハイブリッド巨大分子を製造するための方法は、容易に操作される。ハイブリッド巨大分子は、大きな薬物負荷能力を有し、適切であり、薬物担体として適用する可能性を有する。
【００３１】
本発明について、多くの実施形態および実施に関連して記載してきたが、本発明は、そのように限定されず、添付の特許請求の範囲の中にある様々な修正形態および等価形態を包含する。本発明の特徴は、特許請求の範囲の中のある種の組合せで表現されるが、これらの特徴は、任意の組合せおよび順序で配置することができることが企図されている。
【図３】
0005477975.tif 000002
【図４】
0005477975.tif 000003
【図５】
0005477975.tif 000004
【図６】
0005477975.tif 000005
【図７】
0005477975.tif 000006
【図８】
0005477975.tif 000007
【図９】
0005477975.tif 000008
【図１０】
0005477975.tif 000009
【図１１Ａ】
0005477975.tif 000010
【図１１Ｂ】
0005477975.tif 000011
【図１１Ｃ】
0005477975.tif 000012
【図１２】
0005477975.tif 000013
【図１】
0005477975.tif 000014
【図２】
0005477975.tif 000015